(57)【要約】【課題】番組毎に光ディスクに録画することで、操作を簡単にしたディスク記録補助装置を提供する。【解決手段】予約録画処理に係る予約録画情報の番組毎に、ディスク処理部４に収納されている光ディスクの識別番号を設定する。ディスク処理部４で光ディスクに番組を録画するとき、この予約録画情報で設定されている光ディスクを判断する。制御部５は、ディスク処理部４に対して番組を録画する指示を行い、この指示を受けてディスク処理部４は、制御部５が判断した番組を該当する光ディスクに録画する。【選択図】図３
2009110574.tif 000002
【特許請求の範囲】
【請求項１】
複数回に分けて放送される番組に対して、一括して予約録画処理に係る予約録画情報を受け付けて記憶する予約録画情報記憶手段と、
収納されている複数の光ディスクの中で指定された光ディスクに番組を録画するディスク記録装置に対して、前記予約録画情報が記憶されている番組の録画を指示する録画指示手段と、を備えたディスク記録補助装置において、
前記予約録画情報には、予約録画されている番組と、前記ディスク記録装置に収納している光ディスクと、を対応付ける対応情報が含まれており、
前記録画指示手段は、前記予約録画情報に基づいて、予約録画されている番組を録画する光ディスクを判断し、判断した光ディスクへ番組の録画を指示する手段である、ディスク記録補助装置。
【請求項２】
複数回に分けて放送される番組に対して、一括して予約録画処理に係る予約録画情報を受け付けて記憶する予約録画情報記憶手段と、
収納されている光ディスクに番組を録画する複数のディスク記録装置の中で指定されたディスク記録装置に対して、前記予約録画情報が記憶されている番組の録画を指示する録画指示手段と、を備えたディスク記録補助装置において、
前記予約録画情報には、予約録画されている番組と、前記ディスク記録装置の何れかと、を対応付ける対応情報が含まれており、
前記録画指示手段は、前記予約録画情報に基づいて、予約録画されている番組を録画するディスク記録装置を判断し、判断したディスク記録装置へ番組の録画を指示する手段である、ディスク記録補助装置。
【請求項３】
前記予約録画情報が記憶されている番組を一旦内蔵ディスクに録画する録画手段を備え、
前記録画指示手段は、前記録画手段が前記内蔵ディスクに録画した番組の録画を前記ディスク記録装置に対して指示する手段である請求項１または２に記載のディスク記録補助装置。
【請求項４】
前記ディスク記録装置に収納されている光ディスクに対して、前記録画指示手段が指示した番組の録画が終了したタイミングで、ファイナライズ処理の指示を行う制御手段を備えた請求項１〜３の何れかに記載のディスク記録補助装置。
【発明の詳細な説明】
【技術分野】
【０００１】
本発明は、光ディスクを収納しているディスク記録装置に対して、番組の録画処理を指示するディスク記録補助装置に関する。
【背景技術】
【０００２】
従来、連続ドラマ等の複数回に分けて放送される番組に対して、一括して予約録画処理に係る予約録画情報を受け付けて記憶し、記憶している予約録画情報に基づいて、収納している光ディスクに対して番組の予約録画を行うディスク記録装置がある。
【０００３】
また、特許文献１では、光ディスクが収納されているディスクドライブの中からデータを録画したいディスクドライブをユーザが選択し、選択されたディスクドライブが収納している光ディスクにデータを録画するディスクドライブ記録方法が開示されている。
【特許文献１】特開２００６−１８５５８１号公報
【発明の開示】
【発明が解決しようとする課題】
【０００４】
しかしながら、従来のディスク記録装置では、ユーザが複数種類の連続ドラマを予約録画するとき、番組の種類とは無関係に、単に番組が放送された順番で光ディスクに録画する。したがって、ユーザは、こうした番組の一つを連続して視聴したいときには、どの光ディスクに録画されているかを視聴して確認する操作が必要であった。また、視聴時に、視聴したい番組を複数種類の番組の中から探す操作を行う必要があった。そのため、操作が煩雑であった。
【０００５】
また、特許文献１の構成でも、番組の予約録画時にユーザがディスクドライブを選択する操作が必要である。また、どのディスクドライブに収納されている光ディスクに前回放送分の連続ドラマを録画したかをユーザが視聴して確認する操作が必要であった。そのため、操作が煩雑であった。
【０００６】
本発明の目的は、上記課題に鑑み、連続ドラマ等の複数回に分けて放送される番組を光ディスクに録画するときに、操作を簡単にした光ディスク記録補助装置を提供することにある。
【課題を解決するための手段】
【０００７】
本発明は、上記課題を解決するために以下の構成である。
【０００８】
予約録画情報記憶手段が、複数回に分けて放送される番組に対して、一括して予約録画処理に係る予約録画情報を受け付けて記憶する。録画指示手段が、収納されている複数の光ディスクの中で指定された光ディスクに番組を録画するディスク記録装置に対して、予約録画情報が記憶されている番組の録画を指示する。予約録画情報には、予約録画されている番組と、ディスク記録装置に収納している光ディスクと、を対応付ける対応情報が含まれており、録画指示手段は、予約録画情報に基づいて、予約録画されている番組を録画する光ディスクを判断し、判断した光ディスクへ番組の録画を指示する。こうすることにより、ディスク記録補助装置は、ディスク記録装置に対して番組毎に異なる光ディスクに録画する指示を行うことができる。したがって、ユーザが、光ディスクに録画した連続ドラマを視聴するとき、どの光ディスクに番組を録画したかを視聴して確認する操作の回数を減少させることができる。また、光ディスクに録画した番組の視聴時に、複数種類の番組の中から視聴したい番組を探す操作の回数を抑制することができる。そのため、操作が簡単になる。
【０００９】
予約録画情報記憶手段が、複数回に分けて放送される番組に対して、一括して予約録画処理に係る予約録画情報を受け付けて記憶する。録画指示手段が、収納されている光ディスクに番組を録画する複数のディスク記録装置の中で指定されたディスク記録装置に対して、前記予約録画情報が記憶されている番組の録画を指示する。前記予約録画情報には、予約録画されている番組と、前記ディスク記録装置の何れかと、を対応付ける対応情報が含まれており、前記録画指示手段は、前記予約録画情報に基づいて、予約録画されている番組を録画するディスク記録装置を判断し、判断したディスク記録装置へ番組の録画を指示する。こうすることにより、ディスク記録補助装置は、ディスク記録装置に対して番組毎に異なる光ディスクに録画する指示を行うことができる。したがって、ユーザが、光ディスクに録画した連続ドラマを視聴するとき、どの光ディスクに番組を録画したかを視聴して確認する操作の回数を減少させることができる。また、光ディスクに録画した番組の視聴時に、複数種類の番組の中から視聴したい番組を探す操作の回数を抑制することができる。そのため、操作が簡単になる。
【発明の効果】
【００１０】
番組毎に光ディスクに録画することができ、操作が簡単になる。
【発明を実施するための最良の形態】
【００１１】
以下、本発明の実施形態であるディスク記録補助装置を説明する。
【００１２】
《第１の実施形態》
図１は、第1の実施形態に係るディスク記録補助装置の外観図である。また、図２はディスク記録補助装置１の構成ブロック図である。ディスク記録補助装置１は、チューナ２、記憶部３、ディスク処理部４、制御部５、操作部６、表示部７、を備えている。
【００１３】
チューナ２は、アンテナ２０と接続する。アンテナ２０がアナログ放送信号やディジタル放送信号を受信する。チューナ２は、アンテナ２０から入力された放送信号の信号処理やデコード処理を行う。
【００１４】
記憶部３は、予約録画処理に係る情報である、予約録画開始時刻、予約録画終了時刻、番組のチャンネル、対応情報、を示す予約録画情報、を記憶している。記憶部３は、例えば、不揮発性のメモリ（例えば、ＥＥＰＲＯＭやＳＤＲＡＭ）や、バッテリバックアップされている揮発性のメモリである。記憶部３が記憶している予約録画情報の詳細は後述する。
【００１５】
ディスク処理部４は、図示していない複数の光ディスクを収納している。制御部５からの指示を受けて、予約録画処理や、再生処理を光ディスクに対して行う。また、ファイナライズ処理を行う。ディスク処理部４が行う予約録画処理、再生処理、ファイナライズ処理は公知の方法で行っている。また、ファイナライズ処理を行うタイミングは後述する。
【００１６】
制御部５は、本体各部の動作を制御する。制御部５は、ディスク処理部４に収納されている光ディスクを認識し、ディスク処理部４に収納されている光ディスク毎に識別番号を付与する。識別番号とは、光ディスクを収納している収納部毎の番号である。制御部５には、タイマ５０が内蔵されており、タイマ５０が現在時刻を計時している。タイマ５０が計時している現在時刻が、予約録画開始時刻になると、制御部５は、ディスク処理部４に対して番組の予約録画の開始を指示し、この指示を受けてディスク処理部４は番組を光ディスクに録画する。また、タイマ５０が計時している現在時刻が、予約録画終了時刻になると、制御部５は、ディスク処理部４に対して番組の予約録画の終了を指示し、ディスク処理部４はこの指示を受けて、光ディスクへの番組の録画を終了する。また、制御部５は、予約録画の終了時に、ファイナライズ処理をディスク処理部４に指示する。制御部５が行う動作の各詳細は後述する。
【００１７】
操作部６は、操作キー等が設けられ、操作された操作キーに応じた信号を制御部５に入力する。また、図示していないリモコン装置から送信される信号を受信する受信部を備え、受信した信号を制御部５へ入力する。
【００１８】
表示部７は、タイマ５０が計時している現在時刻等の様々な情報を表示する。
【００１９】
以下、第1の実施形態に係るディスク記録補助装置１の動作を説明していく。
【００２０】
図３は、記憶部３に記憶している予約録画情報をテーブル形式で示した予約録画情報テーブルである。予約録画情報には、番組名、この番組の予約録画開始時刻、予約録画終了時刻、チャンネル、この番組を録画する光ディスクの識別番号、ファイナライズ指示の有無、が含まれている。これらの情報は、ユーザが番組の予約録画の設定を行うときに、操作部６を直接操作するか、図示していないリモコン装置を操作することで各情報を入力する。「番組名」は、制御部５が予約録画をディスク処理部４に指示する番組のタイトルである。「予約録画開始時刻」は、制御部５が、予約録画の開始をディスク処理部４に指示する時刻である。この指示を受けて、ディスク処理部４は、収納している光ディスクの何れかに番組を録画する処理を開始する。「予約録画終了時刻」は、制御部５が、予約録画の終了をディスク処理部４に指示する時刻である。この指示を受けてディスク処理部４は、収納している光ディスクの何れかに番組を録画する処理を終了する。「チャンネル」は、制御部５が予約録画をディスク処理部４に指示する番組のチャンネルである。「ディスク」は、ディスク処理部４に収納されている光ディスクに付与されている識別番号である。この「ディスク」が設定されている光ディスクに対してディスク処理部４は番組の録画を行う。「ファイナライズ指示」は、番組の予約録画が終了したとき、制御部５がファイナライズ指示をディスク処理部４に対して行うかどうかを設定した情報である。
【００２１】
次に、図４のフローチャートを用いて、第1の実施形態に係る制御部５の動作について説明していく。
【００２２】
制御部５は、タイマ５０が計時している現在時刻と、予約録画開始時刻と、を確認している（Ｓ１）。タイマ５０が計時している現在時刻が、予約録画開始時刻になると（Ｓ１のＹ）、制御部５は、予約録画情報のうち、番組を録画する光ディスクの識別番号を設定している「ディスク」の項目を参照する（Ｓ２）。制御部５は、ディスク処理部４に収納されている光ディスクの中から、該当する識別番号の光ディスクを判断する（Ｓ３）。制御部５は、ディスク処理部４に対して予約録画の開始を指示する（Ｓ４）と、この指示を受けて、ディスク処理部４は、制御部５が判断した光ディスクに対して番組を録画する処理を開始する。ディスク処理部４が予約録画を開始すると、制御部５は、タイマ５０が計時している現在時刻と、予約録画終了時刻と、を確認する（Ｓ５）。タイマ５０が計時している現在時刻が、予約録画終了時刻になると（Ｓ５のＹ）、制御部５は、ディスク処理部４に対して予約録画の終了を指示する（Ｓ６）。この指示を受けて、ディスク処理部４は、光ディスクへ番組を録画する処理を終了する。ディスク処理部４が、光ディスクへ番組を録画する処理を終了すると、制御部５は、予約録画情報のうち、「ファイナライズ指示」の設定を参照する（Ｓ７）。Ｓ７において、「ファイナライズ指示」の項目に「無」が設定されているときには（Ｓ７のＮ）、制御部５は、Ｓ８以降の処理を行わず、次の予約録画処理が行われる時刻になるのを待つ。「ファイナライズ指示」の項目に「有」が設定されているとき（Ｓ７のＹ）、制御部５は、今回、番組を録画した光ディスクが、ファイナライズ処理を行うタイミングであるかどうかの確認を行う（Ｓ８）。このタイミングは、例えば、この光ディスクに番組を録画する時間が所定時間（例えば、１時間、３０分）残されていないタイミング、また、この光ディスクの空き容量が所定容量（例えば、全容量の２０％）残されていないタイミングである。また、このタイミング以外の様々なタイミングであっても良い。制御部５は、ファイナライズ処理を行うタイミングであると判断すると（Ｓ８のＹ）、ディスク処理部４に対してファイナライズ処理を指示する（Ｓ９）。この指示を受けて、ディスク処理部４は、ファイナライズ処理を該当する光ディスクに対して行う。
【００２３】
こうすることにより、ディスク記録補助装置１は、ディスク処理部４に対して番組毎に異なる光ディスクに録画する指示を行うことができる。したがって、ユーザが、光ディスクに録画した連続ドラマを視聴するとき、どの光ディスクに番組を録画したかを視聴して確認する操作の回数を減少させることができる。また、光ディスクに録画した番組の視聴時に、複数種類の番組の中から視聴したい番組を探す操作の回数を抑制することができる。そのため、操作が簡単になる。また、ファイナライズ処理を番組の予約録画終了時に行うことになるため、ユーザがファイナライズ処理を行う手間が省け、操作が簡単になる。
【００２４】
《第２の実施形態》
次に第２の実施形態について説明する。図５は、第２の実施形態に係るディスク記録補助装置１０の構成ブロック図である。第１の実施形態に係るディスク記録補助装置１と第２の実施形態に係るディスク記録補助装置１０との相違点は、番組を一旦内蔵しているハードディスク８に記憶し、記憶している番組をディスク処理部４に収納されている複数の光ディスクの何れかに録画する点である。
【００２５】
ディスク記録補助装置１０は、チューナ２、ディスク処理部４、制御部５、操作部６、表示部７、ハードディスク８、を備えている。なお、第２の実施形態において、第１の実施形態と同様の構成には同符号を付し、その説明は省略する。
【００２６】
ハードディスク８は、制御部５からの指示を受けて番組の予約録画を行う。
【００２７】
制御部５は、記憶部３に記憶している番組の予約録画情報に基づいて、ハードディスク８に一旦記憶されている番組をディスク処理部４に対して録画する指示を行う。この指示を受けて、ディスク処理部４は収納している光ディスクの何れかに番組の録画を行う。この詳細は後述する。なお、第２の実施形態では記憶部３に予約録画情報を記憶しているが、記憶部３を設けずに、ハードディスク８に予約録画情報を記憶させても良い。
【００２８】
第２の実施形態に係るディスク記録補助装置１０の動作について図６のフローチャートに基づいて説明していく。なお、第１の実施形態と同様の処理については同符号を付し、詳細な説明は省略する。制御部５は、予約録画開始の時刻になると、内蔵しているハードディスク８に番組の予約録画を行う。ハードディスク８に番組を予約録画する処理は公知の処理である。制御部５はユーザがハードディスク８に記憶されている番組を光ディスクに録画する操作があったときや、ディスク記録補助装置１０が予約録画や番組の再生を行っていないスタンバイ状態にあるとき（Ｓ１１）といったタイミングであるときには（Ｓ１１のＹ）、予約録画情報を参照する（Ｓ１２）。そして、予約録画情報に含まれている「ディスク」の項目で設定されている光ディスクを判断する（Ｓ１３）。制御部５は、ディスク処理部４に対して番組の録画を指示する（Ｓ１４）。この指示を受けてディスク処理部４は、制御部５が判断した光ディスクに、番組を録画する処理を開始する。制御部５は、番組の録画が終了したかを判断し（Ｓ１５）、番組の録画が終了したとき（Ｓ１５のＹ）、ディスク処理部４に対して番組の録画を終了する指示を行う（Ｓ１６）。そして、第１の実施形態と同様にＳ７以降の処理を行う（Ｓ７〜Ｓ９）。
【００２９】
こうすることにより、ハードディスク８に記憶されている番組を光ディスクに録画するとき、複数種類の番組の中から録画したい番組を探す操作を行う回数を減少させることができる。そのため、操作が簡単になる。
【００３０】
《第３の実施形態》
図７は、第３の実施形態に係るディスク記録補助装置、及びディスク記録装置の外観図である。第３の実施形態に係るディスク記録補助装置１１の構成はほぼ、第１の実施形態または、第２の実施形態と同様である。相違点は、ディスク処理部４を内部に設けていない点、及びディスク記録補助装置１１に接続部１２を設けている点である。
【００３１】
第３の実施形態では、ディスク記録補助装置１１に接続部１２を設け、接続部１２を介して、ディスク記録補助装置１１と、ディスク記録装置１３と、が接続されている。
【００３２】
接続部１２は、例えば、ＵＳＢインタフェースやＳＣＳIである。
【００３３】
なお、有線形式で接続していなくても、無線形式でディスク記録補助装置１１と、ディスク記録装置１３と、がデータ通信を行っても良い。また、接続部１２は、ディスク記録補助装置１１の前面に設けているが、その場所は背面や側面等の他の場所に設けても良い。また、ディスク記録装置１３の背面に接続部１２を設けているが、その場所は前面や側面等の他の場所に設けても良い。
【００３４】
制御部５は、ディスク記録装置１３が接続部１２を介して接続されていることを認識する。この接続されている状態とは、ディスク記録装置１３が電源オンの状態にあるときである。そして、認識しているディスク記録装置１３に収納されている光ディスクに対して識別番号を付与する。識別番号とは、光ディスクを収納している収納部毎の番号である。
【００３５】
制御部５は、認識しているディスク記録装置１３に対して、番組の録画を指示する。制御部５からの指示を受けて、ディスク記録装置１３は、番組の録画を行う。
【００３６】
ディスク記録装置１３は、内部に複数の光ディスクを収納している。また、制御部５からの指示を受けて、収納している何れかの光ディスクに番組を録画する。
【００３７】
第３の実施形態に係るディスク記録補助装置１１の動作を説明していく。
【００３８】
ディスク記録装置１３は、第１の実施形態のフローチャートと同様の処理を行い、ディスク記録補助装置１１の指示を受けて、ディスク記録装置１３に収納している光ディスクに番組の予約録画処理を行う。または、第２の実施形態のフローチャートと同様の処理を行い、ハードディスク８に記憶されている番組をディスク記録装置１３に収納している光ディスクに対して録画する処理を行う。ディスク記録装置１３が収納している光ディスクに対して番組を録画する処理は公知の処理である。
【００３９】
《第４の実施形態》
図８は、第４の実施形態に係るディスク記録補助装置及びディスク記録装置の外観図である。第４の実施形態に係るディスク記録補助装置１４の構成は第１〜３の実施形態の構成と同様である。相違点は複数のディスク記録装置１５〜１７とハブ１８を介して接続部１２と、で接続している点である。
【００４０】
ディスク記録装置１５〜１７には其々光ディスクを収納することができる。なお、ディスク記録装置１５〜１７に其々収納することのできる光ディスクの数は１枚以上であり、その数は全て等しい必要はなく、ディスク記録装置１５〜１７毎に異なった枚数の光ディスクが収納されていて良い。また、接続するディスク記録装置の数もこの限りではなく、それ以上でもそれ以下でも良い。
【００４１】
制御部５は、ハブ１８、及びハブ１８を介して接続されているディスク記録装置１５〜１７が接続されている状態を認識する。この接続されている状態とは、ディスク記録装置が電源オンの状態にあるときである。記憶部３に記憶されている予約録画情報に基づいて、番組を録画するディスク記録装置及び光ディスクの判断を行う。制御部５が行う処理の詳細及び記憶部３が記憶している予約録画情報の各詳細は後述する。
【００４２】
図９は、第４の実施形態に係る制御部５が行う処理を示すフローチャートである。なお、第１〜第３の実施形態と同様の処理に関しては同符号を付し、その詳細な説明は省略する。
【００４３】
図９（Ａ）は、第３の実施形態のように、ディスク記録装置１５〜１７に対して、それぞれに収納されている光ディスクに番組の予約録画を行うよう指示するときの制御部５の動作を示すフローチャートである。また、図９（Ｂ）は、第２の実施形態のように、ディスク記録補助装置１４の内部にハードディスク８に一旦番組を予約録画し、ハードディスク８に記憶されている番組をディスク記録装置１５〜１７に対して、収納されている光ディスクに録画する指示を行うときの制御部５のフローチャートである。
【００４４】
制御部５は、図１０に示す予約録画情報を記憶部３に記憶している。第１〜第３の実施形態での予約録画情報との相違点は、予約録画情報に「記録装置」の項目が追加されている点である。「記録装置」は、制御部５が接続されているディスク記録装置１５〜１７に対して付与している識別番号を示している。識別番号とは、光ディスクを収納している収納部毎の番号である。
【００４５】
ディスク記録補助装置１４が、ディスク記録装置１５〜１７に対して、収納されている光ディスクに番組の予約録画を行うよう指示するときの制御部５の動作を図９（Ａ）のフローチャートに基づいて説明する。
【００４６】
制御部５は、予約録画情報に基づいて、予約録画の開始を制御部５はディスク処理部４に指示する。このとき、制御部５は記憶部３に記憶されている予約録画情報を参照し、「記録装置」の項目で指定されているディスク記録装置を判断する。そして、このディスク記録装置に収納されている光ディスクの判断を行う。光ディスクの判断は、「ディスク」の項目で設定されている光ディスクの識別番号である。そして、制御部５は、判断したディスク記録装置に予約録画の開始を指示し、指示を受けて、ディスク記録装置は判断された光ディスクに対して予約録画を開始する。以降は、Ｓ５以下の処理を行う（Ｓ５〜Ｓ９）。
【００４７】
次に、ディスク記録補助装置１４が、ディスク記録補助装置１４の内部にハードディスク８に一旦番組を予約録画し、ハードディスク８に記憶されている番組をディスク記録装置１５〜１７に対して、収納されている光ディスクに録画する指示を行うとき制御部５の動作を図９（Ｂ）に基づいて説明する。
【００４８】
制御部５は予約録画情報に基づいて、一旦ハードディスク８に番組を記憶する。上述したタイミングであるかを判断する（Ｓ１１）。上述したタイミングであると判断すると（Ｓ１１のＹ）と、制御部５は、記憶部３に記憶されている予約録画情報を参照し（Ｓ２１）、「記録装置」の項目で設定されているディスク記録装置を判断する（Ｓ２２）。そして、このディスク記録装置に収納されている光ディスクの判断を行う（Ｓ２３）。光ディスクの判断は、「ディスク」の項目で設定されている光ディスクの識別番号である。そして、制御部５は、判断したディスク記録装置に番組の録画開始を指示し（Ｓ２４）、指示を受けて、ディスク記録装置は判断された光ディスクに対して番組の録画を開始する。以降は、Ｓ１５以下の処理を行う（Ｓ１５，Ｓ１６，Ｓ７〜Ｓ９）。
【図面の簡単な説明】
【００４９】
【図１】第１の実施形態に係るディスク記録補助装置の外観図である。
【図２】第１の実施形態に係るディスク記録補助装置の構成ブロック図である。
【図３】第１〜第３の実施形態に係る記憶部が記憶している予約録画情報を示したテーブルである。
【図４】第１の実施形態に係る制御部が行う動作のフローチャートである。
【図５】第２の実施形態に係るディスク記録補助装置の構成ブロック図である。
【図６】第２の実施形態に係る制御部が行う動作のフローチャートである。
【図７】第３の実施形態に係るディスク記録補助装置及びディスク記録装置の外観図である。
【図８】第４の実施形態に係るディスク記録補助装置及びディスク記録装置の外観図である。
【図９】第４の実施形態に係る制御部が行う動作のフローチャートである。
【図１０】第４の実施形態に係る記憶部が記憶する予約録画情報を示すテーブルである。
【符号の説明】
【００５０】
１，１０，１１，１４…ディスク記録補助装置
２…チューナ
３…記憶部
４…ディスク処理部
５…制御部
６…操作部
７…表示部
８…ハードディスク
１２，１８０〜１８４…接続部
１３，１５〜１７…ディスク記録装置
１８…ハブ
２０…アンテナ
５０…タイマ
【図１】
2009110574.tif 000003
【図２】
2009110574.tif 000004
【図３】
2009110574.tif 000005
【図４】
2009110574.tif 000006
【図５】
2009110574.tif 000007
【図６】
2009110574.tif 000008
【図７】
2009110574.tif 000009
【図８】
2009110574.tif 000010
【図９】
2009110574.tif 000011
【図１０】
2009110574.tif 000012